(57)【特許請求の範囲】
【請求項１】
内視鏡の照明用ライトガイドの入射端部を支持するライトガイドコネクタが挿脱自在に装着されるソケットの内周面の少なくとも一部分を先細りのテーパ状に形成し、軸線部に上記ライトガイドコネクタが貫通して挿脱され外周面が上記ソケット内周面のテーパ面に対向するテーパ状に形成された筒状の中子を軸線方向から見て複数に分割して上記ソケット内に軸線方向及び径方向に可動に配置すると共に、上記中子を先側から後方に向けてスプリングにより付勢し、
上記ライトガイドコネクタが上記ソケットに差し込まれていないときは、上記中子が上記スプリングの付勢力により後方に退避した状態になっていて、
上記ライトガイドコネクタを上記ソケットに後方から差し込むと、上記中子が上記ライトガイドコネクタに押されることにより上記スプリングの付勢力に抗して先側に移動して、上記中子の外周テーパ面が上記ソケットの内周テーパ面に当接する状態になると共に上記中子の内周面が上記ライトガイドコネクタの外周面に当接する状態になるようにしたことを特徴とする内視鏡用光源装置。
【発明の詳細な説明】
【０００１】
【産業上の利用分野】
この発明は、内視鏡の照明用ライトガイドの入射端部を支持するライトガイドコネクタが挿脱自在に装着されるソケットを有する内視鏡用光源装置に関する。
【０００２】
【従来の技術】
内視鏡用光源装置には、内視鏡のライトガイドコネクタが挿脱自在に装着されるソケットが配置されているが、ソケットに対してライトガイドコネクタががたつくと、ライトガイドの入射端面が光源ランプの光軸からずれてライトガイドに対する照明光の入射量が変化するので、観察画面が明るくなったり暗くなったりするちらつきが発生して、観察に支障をきたすことになる。
【０００３】
そこで従来は、ライトガイドコネクタが貫通して挿通されるソケット孔の一番奥の部分を先細りのテーパ状に形成して、ライトガイドコネクタの外周面とのクリアランスをできるだけ小さくすることにより、ライトガイドコネクタのがたつきを抑制していた（実公平３−２６４９１号）。
【０００４】
【発明が解決しようとする課題】
しかし、上述のようにソケット孔の一番奥の部分を先細りのテーパ状に形成しても、その部分の内側に挿脱されるライトガイドコネクタの外周面との間にクリアランスがあることに変わりはないから、旧来のものより程度がよくなってはいるものの、ソケットに対してライトガイドコネクタががたついてちらつきが発生することに変わりなかった。
【０００５】
そこで本発明は、ソケットに対するライトガイドコネクタのがたつき発生を完全になくして、ちらつきの全くない良好な照明光伝達を行うことのできる内視鏡用光源装置を提供することを目的とする。
【０００６】
【課題を解決するための手段】
上記の目的を達成するため、本発明の内視鏡用光源装置は、内視鏡の照明用ライトガイドの入射端部を支持するライトガイドコネクタが挿脱自在に装着されるソケットの内周面の少なくとも一部分を先細りのテーパ状に形成すると共に、軸線部に上記ライトガイドコネクタが貫通して挿脱され外周面が上記ソケット内周面のテーパ面に対向するテーパ状に形成された筒状の中子を軸線方向から見て複数に分割して上記ソケット内に可動に配置し、上記ライトガイドコネクタを上記ソケットに差し込むことにより上記中子が上記ライトガイドコネクタに押されて、上記中子の外周テーパ面が上記ソケットの内周テーパ面に当接すると共に上記中子の内周面が上記ライトガイドコネクタの外周面に当接するようにしたことを特徴とする。
【０００７】
【実施例】
図面を参照して実施例を説明する。
図１は、内視鏡用光源装置１０のソケット１１部分を示しており、光源装置１０内には、内視鏡の照明用ライトガイドファイババンドル１に入射させるための照明光を放射する光源ランプ（図示せず）が内蔵されていて、破線の矢印で示されるように、ライトガイドファイババンドル１の入射端面１ａに照明光が収束する。
【０００８】
ソケット本体１２は、その中間部分の外周に回転自在に係合して設けられた締め環１３を、光源装置１０の筐体１０ａにネジ止め固定された固定板１４外周の雄ネジに螺合させることによって、光源装置１０に取り付けられている。
【０００９】
ライトガイドファイババンドル１の入射端部は、先側が細長い筒状に形成されたライトガイドコネクタ２内に支持されていて、その筒状部先端の中央に入射端面１ａが配置されている。そして、ライトガイドコネクタ２をソケット１１に対して挿脱自在に装着することができる。
【００１０】
ライトガイドコネクタ２を挿入するためにソケット本体１２に貫通して穿設された孔の内周面は、中間部分の広い範囲において、先細りのテーパ状に形成されている。１６がそのテーパ面である。
【００１１】
そしてその内側には、軸線部にライトガイドコネクタ２が貫通して挿脱され外周面がソケット本体１２内周面のテーパ面１６に対向するテーパ状に形成された筒状の中子１７が配置されている。
【００１２】
この中子１７は、図２に示されるように、軸線方向から見て軸線を中心に１２０°間隔で３等分されていて、ライトガイドコネクタ２が装着された状態では、中子１７の内周面と外周面が、ライトガイドコネクタ２の外周面とソケット本体１２のテーパ面１６とにほぼ全面で密着するようになっている。
【００１３】
図１に戻って、ソケット本体１２内のテーパ面１６より奥側には、中子１７を入口側に向けて付勢する圧縮コイルスプリング１８が配置されている。１９は、その圧縮コイルスプリング１８の一端を受けるためにソケット本体１２に螺合して取り付けられたスプリング受けである。
【００１４】
一方、ソケット本体１２内のテーパ面１６より入口側には、圧縮コイルスプリング１８で付勢された中子１７が入口側に抜け出さないようにするためのストッパ２１が、内周面から内方に向けて突出形成されている。
【００１５】
ただし、ストッパ２１に当接する中子１７側の当接面１７ａとストッパ２１との間には遊びＡが設けられているので、ライトガイドコネクタ２が挿入されていない状態では、中子１７は圧縮コイルスプリング１８の付勢力に抗してＡの範囲で軸線方向に移動することができる。
【００１６】
そのストッパ２１よりさらに入口側には、ライトガイドコネクタ２の筒状部の基端部に形成された鍔部３を弾力的に押さえるための、バネ材からなるＣリング２２が配置されている。２３は、Ｃリング２２がソケット本体１２から外れないように、ソケット本体１２に螺合して取り付けられたリング押さえである。
【００１７】
このＣリング２２の内径は鍔部３の外径より細いが、Ｃリング２２は径方向に弾性変形して拡がることができる。また、リング押さえ２３の内径は鍔部３の外径より太い。したがって鍔部３は、Ｃリング２２を弾性変形させながらＣリング２２内を通過することができる。
【００１８】
ソケット１１にライトガイドコネクタ２が装着されていない状態では、図３又は図５に示されるように、中子１７は圧縮コイルスプリング１８の付勢力によってストッパ２１に押しつけられている。
【００１９】
しかし径方向には、図３および図４に示されるようにテーパ面１６から離れて内側に位置することもでき、図５および図６に示されるように外側に移ってテーパ面１６に当接することもできる。
【００２０】
なお、中子１７の外周面は、ソケット１１にライトガイドコネクタ２が装着されて中子１７が奥に押し込まれた状態のときに、テーパ面１６に全面で密着する寸法形状に形成されている。
【００２１】
したがって、ライトガイドコネクタ２が装着されていない状態で断面をとると、図６に示されるように、中子１７の外周面よりテーパ面１６の曲率半径の方が少し大きい状態になる。
【００２２】
図７は、ライトガイドコネクタ２がソケット本体１２に挿入される途中の状態を示しており、鍔部３によってＣリング２２が押し拡げられつつあり、中子１７が奥へ押され始めようとするところである。なお、中子１７の口元には、ライトガイドコネクタ２を差し込み易いように面取り２５が形成されている。
【００２３】
そして、その状態からライトガイドコネクタ２をソケット本体１２内にさらに押し込んで、図１に示される装着状態になると、鍔部３がＣリング２２から受ける付勢力によって、ライトガイドコネクタ２が前方に押される。
【００２４】
そして、鍔部３の前側にある段差部によって押される中子１７が、圧縮コイルスプリング１８の付勢力に抗して前方に移動して、中子１７の外周テーパ面がソケット本体１２のテーパ面１６に密着すると共に、中子１７の内周面がライトガイドコネクタ２の外周面に密着した状態で静止し、その状態がＣリング２２の弾性によって維持される。
【００２５】
そのようにして、ライトガイドファイババンドル１の射出端面１ａが取り付けられたライトガイドコネクタ２が、中子１７を介してソケット本体１２に対して全く隙間なく固定され、がたつきの発生が皆無となるので、最も良い状態における一定光量の照明光がライトガイドファイババンドル１に常に安定して供給される。
【００２６】
図８は、本発明の第２の実施例を示しており、中子１７を完全に分割せずに、その後端部分以外の部分を、図９にも示されるスリット１７ａで第１の実施例と同様に３分割したものである。
【００２７】
そのように形成された中子１７の前端部分は、ライトガイドコネクタ２装着時に縮径してライトガイドコネクタ２と密着するが、一つながりの環状の断面を有する後端部分は径が変化しない。したがって、中子１７の内周面を、ライトガイドコネクタ２の外周面と密着させることはできない。
【００２８】
そこでこの実施例では、ライトガイドコネクタ２がソケット本体１２に装着された状態のとき、ライトガイドコネクタ２から突設された鍔部３の外周面がソケット本体１２側のストッパ２１の内周面に嵌合するようにして、後端部分でがたつきが発生しないようにしている。
【００２９】
ソケット本体１２からライトガイドコネクタ２を抜けば、後端部分でつながっている中子１７の先端側が自己の弾性によって拡がるので、中子１７は自然に入口側（図において右側）に移動する。したがってこの実施例では、中子１７を軸線方向に付勢するスプリングは設けられていない。
【００３０】
なお、中子１７としては、例えば図１０及び図１１に示される第３の実施例のように、スリット１７ａを前側と後側から中子１７に交互に形成してもよい。この実施例においては、前側と後側から各々４つのスリット１７ａが中子１７に形成されている。
【００３１】
また、図１２に示される第４の実施例の中子１７のように、後端部分で環状につながっている中子１７の内周面を先側へ漸次拡がるテーパ状に形成して、後端部分の内径を、ライトガイドコネクタ２の外径に対してがたの生じない寸法に形成してもよい。
【００３２】
そのようにすることにより、図１３に示されるように、ライトガイドコネクタ２が装着されると、中子１７が前方に押されてその内周面がライトガイドコネクタ２の外周面に密着し、中子１７の外周面がソケット本体１２のテーパ面１６に密着する。そして、ソケット本体１２からライトガイドコネクタ２を抜けば、中子１７は自己の弾性によって入口側（図において右側）に移動する。
【００３３】
図１４は、本発明の第５の実施例を示しており、ソケット本体１２のテーパ面１６のテーパ角と中子１７の外周面のテーパ角を相違させて形成して、ライトガイドコネクタ２装着時に、両テーパ面が全面で密着するのでなく一部分で当接するようにしたものである。このようにしても第１の実施例と同様の効果を得ることができる。
【００３４】
また、図１５は本発明の第６の実施例を示しており、ソケット本体１２のテーパ面１６を曲面に形成して、ライトガイドコネクタ２装着時に中子１７の外周面と部分的に当接するようにしたものであり、やはり第１の実施例と同様の効果を得ることができる。
【００３５】
図１６ないし図２１は、本発明の第７の実施例を示しており、筒の内面にテーパ面１６が形成されたテーパ筒１２ａを、ソケット本体１２内に軸方向にスライド自在に設け、中子１７を付勢する第１の圧縮コイルスプリング１８とは別の第２のコイルスプリング２８によって、中子１７と同じく入口側（図で右方向）に向けて付勢したものである。
【００３６】
各図のうち、図１６及び図１７はライトガイドコネクタ２の挿入開始時を示しており、図１８及び図１９はライトガイドコネクタ２が装着された状態を示している。
【００３７】
ライトガイドコネクタ２装着時には、鍔部３がストッパ２１に当接する状態になって、そこまで中子１７が奥へ押し込まれ、その中子１７によってテーパ筒１２ａが押し込まれる。
【００３８】
したがってこの実施例では、図２０及び図２１に示されるように、ライトガイドコネクタ２の外径が相違していても、装着時におけるライトガイドコネクタ２の位置が変わらず、中子１７の内周面と外周面にライトガイドコネクタ２の外周面とテーパ筒１２ａのテーパ面１６が当接して、ライトガイドコネクタ２ががたつきのない状態に固定される。
【００３９】
【発明の効果】
本発明によれば、ライトガイドコネクタをソケットに差し込むことにより、中子がライトガイドコネクタに押されて、中子の外周テーパ面がソケットの内周テーパ面に当接すると共に、中子の内周面がライトガイドコネクタの外周面に当接するので、ソケットに装着された状態におけるライトガイドコネクタのがたつきが完全に阻止されて、ちらつきの全くない良好な照明光伝達が行われ、良好な内視鏡観察を行うことができる。
【図面の簡単な説明】
【図１】第１の実施例のライトガイドコネクタ装着状態の側面断面図である。
【図２】第１の実施例のライトガイドコネクタ装着状態の正面断面図（ＩＩ−ＩＩ断面図）である。
【図３】第１の実施例のライトガイドコネクタ非装着状態の側面断面図である。
【図４】第１の実施例のライトガイドコネクタ非装着状態の正面断面図（ＩＶ−ＩＶ断面図）である。
【図５】第１の実施例のライトガイドコネクタ非装着状態の側面断面図である。
【図６】第１の実施例のライトガイドコネクタ非装着状態の正面断面図（ＶＩ−ＶＩ断面図）である。
【図７】第１の実施例のライトガイドコネクタ装着途中の状態の側面断面図である。
【図８】第２の実施例のライトガイドコネクタ装着状態の側面断面図である。
【図９】第２の実施例の中子の正面図である。
【図１０】第３の実施例の中子の側面図である。
【図１１】第３の実施例の中子の正面図である。
【図１２】第４の実施例の中子の側面断面図である。
【図１３】第４の実施例のライトガイドコネクタ装着状態の側面断面図である。
【図１４】第５の実施例のライトガイドコネクタ装着状態の側面断面図である。
【図１５】第６の実施例のライトガイドコネクタ装着状態の側面断面図である。
【図１６】第７の実施例のライトガイドコネクタ装着途中の状態の側面断面図である。
【図１７】第７の実施例のライトガイドコネクタ装着途中の状態の正面断面図（ＸＶＩＩ−ＸＶＩＩ断面図）である。
【図１８】第７の実施例のライトガイドコネクタ装着状態の側面断面図である。
【図１９】第７の実施例のライトガイドコネクタ装着状態の正面断面図（ＸＩＸ−ＸＩＸ断面図）である。
【図２０】第７の実施例の太いライトガイドコネクタが装着された状態の側面断面図である。
【図２１】第７の実施例の太いライトガイドコネクタが装着された状態の正面断面図（ＸＸＩ−ＸＸＩ断面図）である。
【符号の説明】
１  ライトガイドファイババンドル
２  ライトガイドコネクタ
１１  ソケット
１２  ソケット本体
１６  テーパ面
１７  中子
【図１】
0003579469.tif 000002
【図２】
0003579469.tif 000003
【図３】
0003579469.tif 000004
【図４】
0003579469.tif 000005
【図５】
0003579469.tif 000006
【図６】
0003579469.tif 000007
【図７】
0003579469.tif 000008
【図８】
0003579469.tif 000009
【図９】
0003579469.tif 000010
【図１０】
0003579469.tif 000011
【図１１】
0003579469.tif 000012
【図１２】
0003579469.tif 000013
【図１３】
0003579469.tif 000014
【図１４】
0003579469.tif 000015
【図１５】
0003579469.tif 000016
【図１６】
0003579469.tif 000017
【図１７】
0003579469.tif 000018
【図１８】
0003579469.tif 000019
【図１９】
0003579469.tif 000020
【図２０】
0003579469.tif 000021
【図２１】
0003579469.tif 000022